(57)【要約】      （修正有）【課題】電子機器類のコードの一部を巻き付けて保持することで、該コードを最適な長さに調整できるようにした電子機器類のコードの長さ調整具を提供する。【解決手段】短帯状の保持片１と、前記保持片１の両端に設けられ該保持片１よりも広幅の貼り合わせ片２，２と、前記貼り合わせ片２，２の同側面に設けられた一対の面ファスナーとからなり、前記保持片１に電子機器類のコードの一部を巻回し、前記面ファスナーを貼り合わせることで該コードの長さを調整し得るようにする。【選択図】図５
0003152609.tif 000002
【実用新案登録請求の範囲】
【請求項１】
短帯状の保持片と、前記保持片の両端に設けられ該保持片よりも広幅の貼り合わせ片と、前記各貼り合わせ片の同側面に設けられた一対の面ファスナーとからなり、前記保持片に電子機器類のコードの一部を巻回し、前記各面ファスナーを貼り合わせることで該コードの長さを調整し得るようにしたことを特徴とする電子機器類のコードの長さ調整具。
【考案の詳細な説明】
【技術分野】
【０００１】
本考案は、電子機器類のコードの一部を巻き付けて保持することで、該コードを最適な長さに調整できるようにした電子機器類のコードの長さ調整具に関するものである。
【背景技術】
【０００２】
一般に、携帯電話や携帯音楽再生機または携帯ゲーム機といった小型の電子機器類から音声を聴取するために、耳または頭に装着するタイプのヘッドホンやイヤホンが利用される。これらは、所定長さの紐状のコードの始端部に電子機器との接続プラグが設けられ、また、該コードの先端側は適宜長さで二股に分岐されると共に、分岐された各先端部には左右の耳に対応する一対の音声出力部が設けられている。そして、コードは、電子機器の使用者の身体的特徴や聴取態様によりその最適長さが異なるため、例えば、全体が１メートル程度またはそれ以上といった十分に余裕を持った長さに形成されている。一方、このようにコードを長く形成したことによる弊害として、ヘッドホンやイヤホンを利用する際にしばしばコードに余剰部分が生じてしまうことがある。そこで、下記特許文献１では、コードを都合のいい長さに調整できるヘッドホンコード収納クリップを提案している。
【先行技術文献】
【特許文献】
【０００３】
【特許文献１】特開２００６−６７５３７号公報
【考案の概要】
【考案が解決しようとする課題】
【０００４】
上記特許文献１では、平板状の基板の外周縁に一対の凹み部と二箇所の切り込み溝とを形成し、該凹み部に巻き付けたコードの接続プラグ側と音声出力部側を各切り込み溝に押し込んで挟持させるようにしている。しかし、このような構成では、コードの周囲を取り巻いている絶縁被覆部が切り込み溝に強く挟まれてしまい傷つけられる恐れがあった。また、切り込み溝に押し込むことによるコードの保持では、コードが引っ張られた際に切り込み溝から不意に外れてしまう恐れがあった。
【０００５】
そこで本考案は、上記のような課題を解決するために、コードの長さを自在に調整でき、コードに損傷を与える恐れがなく、かつ、コードを確実に保持できるようにした電子機器類のコードの長さ調整具を提供することを目的とする。
【課題を解決するための手段】
【０００６】
かかる目的を達成するため、本発明の電子機器類のコードの長さ調整具は、短帯状の保持片と、前記保持片の両端に設けられ該保持片よりも広幅の貼り合わせ片と、前記各貼り合わせ片の同側面に設けられた一対の面ファスナーとからなり、前記保持片に電子機器類のコードの一部を巻回し、前記各面ファスナーを貼り合わせることで該コードの長さを調整し得るようにしたことを特徴とする。
【考案の効果】
【０００７】
本考案に係る電子機器類のコードの長さ調整具は、コードが巻回される保持片の両端に貼り合わせ片を設け、各貼り合わせ片の同側面には一対の面ファスナーを設けている。そして、面ファスナーを貼り合わせると、保持片の両端が閉じられることで、該保持片に巻回されたコードが保持されるようになっている。これにより、コードを最適な長さに調整することができると共に、該コードは、不意に外れてしまうことがないように確実に保持される。また、該コードは、保持片に軽く巻き付ければよいので、コードの絶縁被覆部が傷つけられる心配がない。
【図面の簡単な説明】
【０００８】
【図１】本考案に係る電子機器類のコードの調整具を示す外観斜視図である。
【図２】本考案に係る電子機器類のコードの調整具を開いた状態の斜視図である。
【図３】本考案に係る電子機器類のコードの調整具を開いた状態の別角度からの斜視図である。
【図４】本考案に係る電子機器類のコードの調整具を閉じた状態の平面図である。
【図５】本考案に係る電子機器類のコードの調整具の使用図である。
【考案を実施するための形態】
【０００９】
以下、本考案に係る電子機器類のコードの長さ調整具の実施形態を図面に従って説明する。本考案に係る電子機器類のコードの長さ調整具は、短帯状の保持片１の両端に平板状の貼り合わせ片２，２を備える調整具本体３が、基材４と被覆材５との貼着により形成され、この調整具本体３の各貼り合わせ片２の基材４面に一対の面ファスナー６，６が貼着されて概ね構成される。基材４と被覆材５とは、共にポリ塩化ビニル等の軽量で柔軟な合成樹脂材料から形成され、一方、面ファスナー６は、ナイロン等の強靭でかつ軽量な合成繊維材料から形成されている。また、調整具本体３は、その外周縁に沿って基材４と被覆材５とを熱圧着することにより形成されている。
【００１０】
前記保持片１は、所定幅で形成された短帯状の部材であって、その中央付近において基材４側（内面側）へ自然にカーブする湾曲癖が与えられており、鋭角的な折れ曲がりがなく滑らかに湾曲した断面視くの字形をしている。すなわち、保持片１においては、被覆材５の長手方向の長さが基材４の長手方向の長さよりも若干長くなっており、これにより、該保持片１の被覆材５の中央付近は、少々余りが生じて外向きに若干湾曲膨出している。そして、この湾曲膨出した部位が縮んだ状態から伸びた状態へ復帰しようとする弾性力により、保持片１の被覆材５側にはその長手方向への伸長力が作用し、該保持片１には、自然に基材４側へ曲がる湾曲癖が与えられている。
【００１１】
前記貼り合わせ片２，２は、曲線的な外周縁で縁取られた平板状に形成され、保持片１の長手方向両端に、一方の貼り合わせ片２の形状と他方の貼り合わせ片２の形状とが、該保持片１を挟んで対称形状となるように設けられている。また、貼り合わせ片２の各々は、保持片１の長手方向に対して垂直な方向の幅が、該保持片１の幅よりも広く形成されている。さらに、各貼り合わせ片２の被覆材５の外面には、図２に示したように、任意のデザインの装飾図形７が描画される。なお、貼り合わせ片２は、上述したように曲線的な外周縁の平板状に形成して手に馴染み易くすることが望ましいが、これに限らず、任意の輪郭形状で形成しても構わない。
【００１２】
前記面ファスナー６の各々は、調整具本体３の其々対応する貼り合わせ片２，２と略同じ形状であって且つ該貼り合わせ片２，２よりも若干小さく形成される。この一対の面ファスナー６，６は、一方がフック面６ａであって他方がループ面６ｂとなっており、フック面６ａには、先端部を鉤状またはきのこの頭状に形成したフックがベースの前面に多数列設され、また、ループ面６ｂには、ランダム且つ環状に起毛させたナイロン製の糸がベースの前面に平面状に固着されている。そして、各面ファスナー６は、その基材４側に位置する面全体を基材４に対し熱圧着することで該基材４に強力に固着されている。このような、面ファスナー６は、フック面６ａとループ面６ｂとを重ね合わせ、貼り合わせ片２，２を両側から押圧することにより密着状に貼り合わせられる。これにより、保持片１が断面視略Ｕ字形に湾曲し、その開放側が面ファスナー６の一側縁で閉じられ、筒状のコード保持部８が形成される。なお、面ファスナー６は、上述したような、一方がフック面６ａで他方がループ面６ｂであるタイプに限らず、フックとループとが各面のベースに混在して設けられたタイプでもよい。
【００１３】
前記コード保持部８は、湾曲した保持片１の開放側を面ファスナー６の貼り合わせで閉じることにより筒状に形成される。このコード保持部８は、図４に示したように、鋭角的に折れ曲がることなく断面視略Ｕ字形に湾曲された保持片１と、貼り合わせられた面ファスナー６の一側縁とにより取り囲まれて中空筒状になっている。そして、コード保持部８は、図５に示したように、コードが保持片１に巻回されて環状になったその一部を束ねるようにして、該コードを保持するようになっている。
【００１４】
本考案に係る電子機器類のコードの長さ調整具は上述した構成からなり、コードの長さを調整するには、調整具本体３を開いて貼り合わせ片２，２が離間した状態にし、電子機器のコードを保持片１に軽く巻き付ける。そして、調整具本体３を閉じると共に、重なり合った貼り合わせ片２，２を被覆材５側から押圧し、面ファスナー６，６同士をしっかりと貼着させる。そうすると、断面視略Ｕ字形に湾曲した保持片１の基材４側の面と、面ファスナー６の一側縁とで筒状のコード保持部８が形成され、保持片１に巻き付けて環状になったコードの一部が、該コード保持部８に束ねられるようにして保持される。
【００１５】
このように、本考案に係る電子機器類のコードの長さ調整具では、コードの巻き付けと保持が円滑に行なえるので、該コードの巻き付け回数を適宜増減して、コードを最適な長さに容易に調整できる。そして、保持片１に巻き付けられたコードは、不意に外れてしまうことがなく確実に保持される。また、コードは、保持片１に軽く巻き付ければよいので、コードの絶縁被覆部が傷つけられることがない。さらに、コードの一部を保持させた調整具本体３を、例えば、胸ポケットに入れる等すれば、該調整具本体３が揺れ動くこともなく、電子機器を快適に使用できる。また、調整具本体３は小型で軽量であるため、使用者に負担がかかることがない。一方、電子機器を使用しない時には、コード全体を保持片１に巻き付けてしまえば、該コードをコンパクトに収納できる。
【００１６】
また、本考案に係る電子機器類のコードの長さ調整具において、保持片１には、基材４側へ自然にカーブする湾曲癖が与えられている。これにより、該保持片１が湾曲しても鋭角的な折れ曲がりが生じることなく滑らかにカーブするようになる。従って、保持片１は、疲労損傷が起こり難くなって、長期に亘る使用に十分耐えることができるようになる。さらに、保持片１の湾曲癖により貼り合わせ片２，２が見開き状に相対するため、該保持片１の湾曲の内側にコードを収納し易く、また、面ファスナー６，６を貼り合わせ易くなり、これにより、コードの保持操作が簡単にできるようになる。
【００１７】
また、貼り合わせ片２の各々には、ナイロン等の強靭な合成繊維材料からなる面ファスナー６が固着されていることから、該貼り合わせ片２には適度な剛性が与えられている。これにより、面ファスナー６，６の貼り合わせの際には、該貼り合わせ片２，２同士が略平面状に維持されることで貼着強度が向上する。一方、面ファスナー６，６を剥がす際には、各貼り合わせ片２の端縁を摘んで拡開させると該貼り合わせ片２が適度に撓んで湾曲するため引き離しが容易になる。
【符号の説明】
【００１８】
１              保持片
２              貼り合わせ片
３              調整具本体
４              基材
５              被覆材
６              面ファスナー
８              コード保持部
【図１】
0003152609.tif 000003
【図２】
0003152609.tif 000004
【図３】
0003152609.tif 000005
【図４】
0003152609.tif 000006
【図５】
0003152609.tif 000007